(57)【要約】【課題】設置されるメータの上方に広い空きスペースを必要とせず、設置場所或いは設置方法を選ぶ際に大きな自由度が与えられる水道メータ取付け用ユニットを提供する。【解決手段】フレーム５の第１及び第２の側板７，９に取付けた第１及び第２のアダプタ２１，２３により複数のメータユニット２９を上下に並べて回動可能に支持する。各メータユニットには連結金具１２１が一体回転可能に取付けられ、各連結レバーは連結リフトバー１３３に相対回動可能に取付けられている。ハンドル１４０を操作することにより、全てのメータユニットをメータが水平な通常位置と、所定の角度傾いた回動位置との間で回動することができる。通常位置ではメータが水平に保たれ正常に計量を行うことができ、回動位置でメータの読み取りが支障なく容易に行える。【選択図】図１
2008175802.tif 000002
【特許請求の範囲】
【請求項１】
対向配置された側板を含んだフレームと、前記側板にそれぞれ取付けられ、間に配置される水道メータの一次側及び二次側にそれぞれ連通接続される一次側及び二次側水道用機材とを備え、前記一次側及び二次側水道用機材は前記側板に対して同一の回転軸芯回りに少なくとも所定の角度範囲で回動可能に取付けられ、前記メータに前記一次側及び二次側水道用機材が接続された状態で、前記メータと前記一次側及び二次側水道用機材が一体的に回動可能となることを特徴とする、水道メータ取付け用ユニット。
【請求項２】
請求項１記載の水道メータ取付け用ユニットにおいて、前記一次側及び二次側水道用機材は上下に所定の間隔でそれぞれ複数配置され、前記水道メータ取付けユニットはさらに、前記一次側及び二次側水道用機材のいずれか一方の全ての機材を、前記メータが水平に位置する通常位置と、前記回転軸心周りに一方向に所定の角度だけ傾いた回動位置との間で、同時に回動させる回動手段を備えることを特徴とする、水道メータ取付け用ユニット。
【請求項３】
請求項２記載の水道メータ取付けユニットにおいて、前記回動手段は、上下に伸び、前記回転軸心から離れた連結位置において前記一方の水道用機材のそれぞれに連結される連結部材を備えていることを特徴とする、水道メータ取付けユニット。
【請求項４】
請求項３記載の水道メータ取付けユニットにおいて、前記回動手段はさらに、一端において前記一方の水道用機材のそれぞれに一体回動可能に取付けられ、他端において前記連結部材に連結される複数の連結レバーを備えることを特徴とする、水道メータ取付けユニット。
【請求項５】
請求項３又は４記載の水道メータ取付けユニットにおいて、前記連結部材は、板状の部材であることを特徴とする、水道メータ取付けユニット。
【請求項６】
請求項３又は４記載の水道メータ取付けユニットにおいて、前記連結部材は、紐状の部材であることを特徴とする、水道メータ取付けユニット。
【請求項７】
請求項５又は６記載の水道メータ取付けユニットにおいて、前記回動手段はさらに、前記上流側及び下流側水道用機材の少なくともいずれか１に取付けられ、これを操作することにより該水道用機材を回動させる回動部材を備えることを特徴とする、水道メータ取付けユニット。
【請求項８】
請求項７記載の水道メータ取付けユニットにおいて、前記回動部材は、該回動部材が取付けられる前記水道用機材と一体的に回動可能に取付けられたハンドルであることを特徴とする、水道メータ取付けユニット。
【請求項９】
請求項８記載の水道メータ取付けユニットにおいて、該水道メータ取付けユニットはさらに、前記水道用機材が取付けられたフレームを格納する、開閉可能な扉を有するケースを備え、前記扉を閉めることにより回動位置にある前記ハンドルを回動させ、前記メータを前記回動位置から前記通常位置へ戻すことができることを特徴とする、水道メータ取付けユニット。
【請求項１０】
請求項５又は６記載の水道メータ取付けユニットにおいて、前記回動手段はさらに、前記連結部材または前記連結レバーの少なくとも１つに取付けられ、前記連結部材を少なくとも上方へ移動させることのできる駆動部材を備えていることを特徴とする、水道メータ取付けユニット。
【請求項１１】
請求項１０記載の水道メータ取付けユニットにおいて、前記駆動部材は、一端において前記連結部材に結合された紐状の部材であることを特徴とする、水道メータ取付けユニット。
【請求項１２】
請求項１１記載の水道メータ取付けユニットにおいて、該水道メータ取付けユニットはさらに、前記水道用機材が取付けられたフレームを格納する、開閉可能な扉を有するケースを備え、前記駆動部材の他端は、前記扉に取付けられていることを特徴とする、水道メータ取付けユニット。
【請求項１３】
請求項２記載の水道メータ取付けユニットにおいて、前記回動手段は、前記一方の水道用機材のそれぞれに一体的に回転するように取付けられた回転部材を備えていることを特徴とする、水道メータ取付けユニット。
【請求項１４】
請求項１３記載の水道メータ取付けユニットにおいて、前記回動手段はさらに、上下方向に伸び、前記回転部材のそれぞれに係合する軸状部材を備えていることを特徴とする、水道メータ取付けユニット。
【請求項１５】
請求項１４記載の水道メータ取付けユニットにおいて、前記回転部材のいずれか１が回転され、該回転される回転部材の回転が前記軸状部材を介して他の回転部材に伝達されることを特徴とする、水道メータ取付けユニット。
【請求項１６】
請求項１４記載の水道メータ取付けユニットにおいて、前記軸状部材を動作させ、該軸状部材の動作によって前記回転部材のそれぞれを回転させることを特徴とする、水道メータ取付けユニット。
【請求項１７】
請求項１５又は１６記載の水道メータ取付けユニットにおいて、前記回転部材は前記回転軸心周りに回転する平歯車であり、前記軸状部材はラックであることを特徴とする、水道メータ取付けユニット。
【請求項１８】
請求項１５又は１６記載の水道メータ取付けユニットにおいて、前記回転部材は前記回転軸芯周りに回転するウォームホイールであり、前記軸状部材は少なくとも前記ウォームホイールに噛合するウォームを備えていることを特徴とする、水道メータ取付けユニット。
【請求項１９】
請求項１乃至１８のいずれか１に記載の水道メータ取付けユニットにおいて、前記一次側水道用機材はその一次側端部に一次側筒状部を備え、前記二次側水道用機材はその二次側端部に前記一次側筒状部と同心になっている二次側筒状部を備え、前記一次側及び二次側水道用機材はそれぞれ前記一次側及び二次側筒状部の軸心周りに回動することを特徴とする、水道メータ取付けユニット。
【請求項２０】
請求項１９記載の水道メータ取付けユニットにおいて、前記側板に取付けられ、前記一次側及び二次側筒状部に嵌合し、前記一次側及び二次側水道用機材をそれぞれ回転可能に支持する筒状部を備えた、それぞれ複数の一次側及び二次側アダプタを備えていることを特徴とする、水道メータ取付けユニット。
【請求項２１】
請求項１乃至２０のいずれか１記載の水道メータ取付けユニットにおいて、前記水道メータ取付けユニットはさらに、前記一次側及び二次側水道用機材のいずれか一方に取付けられた、前記メータを着脱するための着脱装置を備え、該着脱装置は前記回転軸心方向に移動可能なスライド部材を備え、該スライド部材を介して前記メータを他方の水道用機材に向けて押圧することにより前記メータと前記一次側及び二次側水道用機材を連通接続させ、前記一次側及び二次側水道用機材は、前記押圧の力に耐えうる剛性のあるベースに固定されていることを特徴とする、水道メータ取付けユニット。
【請求項２２】
請求項１乃至２０のいずれか１記載の水道メータ取付けユニットにおいて、前記水道メータ取付けユニットはさらに、前記一次側及び二次側水道用機材のいずれか一方に取付けられた、前記メータを着脱するための着脱装置を備え、該着脱装置は前記回転軸心方向に移動可能なスライド部材を備え、該スライド部材を介して前記メータを他方の水道用機材に向けて押圧することにより前記メータと前記一次側及び二次側水道用機材を連通接続させ、前記側板は、前記押圧の力に耐えうる剛性を有する構成とされていることを特徴とする、水道メータ取付けユニット。
【請求項２３】
請求項２２記載の水道メータ取付けユニットにおいて、前記側板は、該側板を剛性のある連結ロッドで互いに連結することにより前記押圧の力に耐えうる剛性を与えられていることを特徴とする、水道メータ取付けユニット。
【請求項２４】
請求項１乃至２０のいずれか１記載の水道メータ取付けユニットにおいて、前記メータと前記一次側及び二次側水道用機材との接続は、前記一次側及び二次側水道用機材に取付けられた袋ナットにより行われることを特徴とする、水道メータ取付けユニット。
【請求項２５】
請求項１記載の水道メータ取付け用ユニットにおいて、前記一次側及び二次側水道用機材はそれぞれ１つ設けられ、前記水道メータ取付け用ユニットは前記一次側及び二次側水道用機材が取付けられたフレームを格納する、開閉可能な扉を備えたケースを備え、前記一次側及び二次側水道用機材の少なくとも一方が前記扉の開閉に連動して回動することを特徴とする、水道メータ取付け用ユニット。
【請求項２６】
請求項２５記載の水道メータ取付け用ユニットにおいて、前記扉と前記扉に連動する水道用機材とは連動用連結部材により連結されていることを特徴とする、水道メータ取付け用ユニット。
【請求項２７】
請求項２６記載の水道メータ取付け用ユニットにおいて、前記連動用連結部材の両端は前記扉と前記扉に連動する水道用機材に固定され、前記扉は前記連動する水道用機材と一体的に回動することを特徴とする、水道メータ取付け用ユニット。
【請求項２８】
請求項２６記載のメータ取付けようユニットにおいて、前記連動用連結部材は互いに一端において相対回動可能に連結された２本のリンクからなり、該リンクの他端はそれぞれ前記扉と前記連動する水道用機材に相対回動可能に取付けられ、前記扉は、前記ケースの本体に対して、前記連動する水道用機材の回転軸心と平行な軸心周りに回動することを特徴とする、メータ取付け用ユニット。
【発明の詳細な説明】
【技術分野】
【０００１】
本願発明は、水道メータを取付けるための水道メータ取付け用ユニットに関する。更に詳しく言えば、検針の際などにメータを傾けて表示を読取ることのできるメータ取付け用ユニットに関する。さらに本発明は、複数の水道メータを上下に並べて取付け、それらのメータを傾けることができる、さらには同時に傾けることのできる水道メータ取付け用ユニットに関する。
【背景技術】
【０００２】
従来、水道メータは、計測に誤差が生じないように読み取り面が上方を向いた状態に固定して設置されている。元々は集合住宅等のパイプシャフト内で使用することを目的として開発されたが、近年では一戸建て、或いはパイプシャフトのないアパートなどでも使用されるようになっているメータユニットの場合も同様である（例えば、特許文献１参照）。従って、メータの検針を可能とするために、メータの上方に少なくも検針人が安全に覗き込むことのできる広い空間が必要である。一戸建て住宅の場合には敷地内の地面に埋め込んだりしている場合が多い。また、アパート等の集合住宅の場合には、寒冷地では埋設型のメータボックスを平面的に複数並べ、その中に読取り面が上方を向いた状態で設置され、温暖地の場合は立上り式のメータボックスをやはり平面的に並べ、その中にメータを設置している。
【特許文献１】特開平０９−２８０９１９号公報
【発明の開示】
【発明が解決しようとする課題】
【０００３】
ところで上記一戸建ての場合、敷地が塀で囲まれていると留守などで敷地内に立ち入れない場合は検針ができない。また、アパートなど複数のメータを設置する場合には平面的に広いスペースを必要とするばかりでなく、メータボックスの設置工事に手間がかかり、外観も良くないという問題がある。いずれもメータが固定されており、検針のためにメータの上方に広い空き空間が必要であることに起因して、メータの設置場所或いは設置方法には大きな制約があった。
【０００４】
本発明は上記従来技術の問題点に鑑みなされたものであり、その目的とするところは、設置されるメータの上方に広い空きスペースを必要とせず、設置場所或いは設置方法を選ぶ際に大きな自由度が与えられる水道メータ取付け用ユニットを提供することを目的とする。具体的には、例えば一戸建ての場合には塀或いは建物の外壁に嵌め込むことも可能であり、アパートなど複数のメータを設置する際には平面的に狭いスペースしか必要とせず、設置場所についての制約も少ない水道メータ取付け用ユニットを提供する。
【課題を解決するための手段】
【０００５】
上記課題を解決するために、本発明は、対向配置された側板を含んだフレームと、前記側板にそれぞれ取付けられ、間に配置される水道メータの一次側及び二次側にそれぞれ連通接続される一次側及び二次側水道用機材とを備え、前記一次側及び二次側水道用機材は前記側板に対して同一の回転軸芯回りに少なくとも所定の角度範囲で回動可能に取付けられ、前記メータに前記一次側及び二次側水道用機材が接続された状態で、前記メータと前記一次側及び二次側水道用機材が一体的に回動可能となることを特徴とする、メータ取付け用ユニットを提供する。これにより、メータを所定の位置まで傾けられるので、メータの側方から見ての検針ができる。したがって、メータを上方から目視する必要がなくなるため、メータの上方に広い空き空間は必要なく、設置場所或いは設置方法についての自由度が増す。例えば一戸建ての場合、建物の外壁或いはブロック塀に埋め込んで設置することも可能となる。
ある実施の形態においては、前記一次側及び二次側水道用機材は上下に所定の間隔でそれぞれ複数配置され、前記メータ取付け用ユニットはさらに、前記一次側及び二次側水道用機材のいずれか一方の全ての機材を、前記メータが水平に位置する通常位置と、前記回転軸心周りに一方向に所定の角度だけ傾いた回動位置との間で、同時に回動させる回動手段を備える。これにより、平面的な配置スペースも従来に比してきわめて狭くなり、各メータの上方に広い空間は必要ないので縦方向のスペースも小さくて済む。これにより設置場所の選択にかなり自由度がある。
別の実施の形態においては、前記回動手段は、上下に伸び、前記回転軸心から離れた連結位置において前記一方の水道用機材のそれぞれに連結される連結部材を備えている。
さらに別の実施の形態においては、前記回動手段はさらに、一端において前記一方の水道用機材のそれぞれに一体回動可能に取付けられ、他端において前記連結部材に連結される複数の連結レバーを備える。このような簡便な機構でメータユニットの同時回転を実現できる。
さらに別の実施の形態においては、前記連結部材は板状の部材であり、さらに別の実施の形態においては、前記連結部材は紐状の部材である。このように必要に応じていろいろなタイプの連結部材の使用が可能である。
さらに別の実施の形態において、前記回動手段はさらに、前記上流側及び下流側の水道用機材の少なくともいずれか１に取付けられ、これを操作することにより該水道用機材を回動させる回動部材を備え、その具体的な一例としては、該回動部材が取付けられる水道用機材と一体的に回動可能に取付けられたハンドルという簡単な構成を採用可能である。さらに別の実施の形態においては、メータ取付け用ユニットを開閉可能な扉を備えたケース内に収納し、その扉を閉めることにより回動位置にある前記のハンドルを回動させ、メータを前記回動位置から前記通常位置へ戻すことができるようにすることができる。扉を閉める前にメータユニットを戻すのを忘れた場合などでもこれによりメータユニットを通常位置へ戻すことができ、検針後にメータの計量に誤差が生じるのを確実に防止できる。
さらに別の実施の形態において、前記回動手段はさらに、前記連結部材または前記連結レバーの少なくとも１つに取付けられ、前記連結部材を少なくとも上方へ移動させることのできる駆動部材を備えている。具体的には駆動部材は、一端において前記連結部材に結合された紐状の部材とすることができるし、さらに、前記水道用機材が取付けられたフレームを格納する、開閉可能な扉を有するケースを備え、前記駆動部材の他端を、前記扉に取付けることもできる。
さらに別の実施の形態において、前記回動手段は、前記一方の水道用機材のそれぞれに一体的に回転するように取付けられた回転部材を備え、その回動手段はさらに、上下方向に伸び、前記回転部材のそれぞれに係合する軸状部材を備えている。具体的には、その回転部材のいずれか１が回転され、該回転される回転部材の回転が前記軸状部材を介して他の回転部材に伝達される構造とすることができ、或いは、前記軸状部材を動作させ、該軸状部材の動作によって前記回転部材のそれぞれを回転させる構造とすることができる。
それらのより具体的構成としては、平歯車とラックの組合わせ、或いはウォームホイールとウォームの組み合わせを用いることができ、回動機構として安定的なものを提供でき、また、操作を軽い力で行うことができる。
さらに別の実施の形態において、前記一次側水道用機材はその一次側端部に一次側筒状部を備え、前記二次側水道用機材はその二次側端部に前記一次側筒状部と同心になっている二次側筒状部を備え、前記一次側及び二次側水道用機材はそれぞれ前記一次側及び二次側筒状部の軸心周りに回動するようにすることもできる。また、前記側板に取付けられ、前記一次側及び二次側筒状部に嵌合し、前記一次側及び二次側水道用機材をそれぞれ回転可能に支持する筒状部を備えた、それぞれ複数の一次側及び二次側アダプタを備えることもできる。
さらに別の実施の形態においては、前記メータ取付け用ユニットはさらに、前記一次側及び二次側水道用機材のいずれか一方に取付けられた、前記メータを着脱するための着脱装置を備え、該着脱装置は前記回転軸心方向に移動可能なスライド部材を備え、該スライド部材を介して前記メータを他方の水道用機材に向けて押圧することにより前記メータと前記一次側及び二次側水道用機材を連通接続させ、前記一次側及び二次側水道用機材は、前記押圧の力に耐えうる剛性のあるベースに固定されているよう構成することができるし、他方このベースを用いず、前記側板を前記押圧の力に耐えうる剛性を有するよう構成することもできる。さらに、側板を剛性のある連結ロッドで互いに連結することにより、前記側板に前記押圧の力に耐えうる剛性を与えることもできる。
さらに他の実施の形態において、前記メータと前記一次側及び二次側水道用機材との接続は、前記一次側及び二次側水道用機材に取付けられた袋ナットにより行うことができる。
さらに他の形態において、前記一次側及び二次側水道用機材はそれぞれ１つ設けられ、前記水道メータ取付け用ユニットは前記一次側及び二次側水道用機材が取付けられたフレームを格納する、開閉可能な扉を備えたケースを備え、前記一次側及び二次側水道用機材の少なくとも一方が前記扉の開閉に連動して回動する。
さらに他の実施の形態において、前記扉と前記扉に連動する水道用機材とは連動用連結部材により連結されている。
さらに他の実施の形態において、前記連動用連結部材の両端は前記扉と前記扉に連動する水道用機材に固定され、前記扉は前記連動する水道用機材と一体的に回動する。
さらに他の実施の形態において、前記連動用連結部材は互いに一端において相対回動可能に連結された２本のリンクからなり、該リンクの他端はそれぞれ前記扉と前記連動する水道用機材に相対回動可能に取付けられ、前記扉は、前記ケースの本体に対して、前記連動する水道用機材の回転軸心と平行な軸心周りに回動する。
【発明の効果】
【０００６】
上記の通り本発明によれば、メータ検針の際にメータの側方からの検針が可能となり、従来の場合のようにメータの上方にメータの表示面を安全に覗き込むための広い空き空間が必要ない。その為に、例えば建物の外壁或いはブロック塀などにこのメータ取付けユニットを内包したメータボックスを嵌め込んでしまうことも可能となるなど、メータの取り付け場所或いは取付け方法に大幅な自由度が生じる。
【０００７】
また、複数のメータを同じ場所に設置する場合にも、メータの側方からの検針が可能なところから、それら複数のメータを上下方向に並べて配置することができ、設置の為に要するスペースが従来に比して大幅に小さくなり、その為に設置場所などの選択などにおいて自由度が増す。また、複数のメータをコンパクトに設置することができ、外観も良くなり、メータ設置のための作業効率も大幅に改善され、検針の際にも同時に複数のメータを傾けてその場で検針できるので、検針作業の能率も向上する。
【発明を実施するための最良の形態】
【０００８】
以下、本発明を具体化した第一の実施形態を図面に基づいて説明する。まず、図１、２を参照して、本実施の形態における水道用メータ取付け用ユニット１の概略を説明する。図１は、メータ取付け用ユニットのボックス或いはケース３の扉４を切り欠いて示す正面図である。図２は、ケース３の天井４aを切り欠いて示す平面図である。
【０００９】
本実施の形態における水道メータ取付け用ユニット１では、ベース３５と、この両端側に固定される水道用機材としての止水栓３１、逆止弁３３とからなるメータユニット２９が、基盤２上に設置された直方体状のケース３内に上下に４台配置されている。なお、本願発明の実施の形態においては、メータユニット２９が上下に４つ配置されているが、本願発明はこの数に限定されない。
【００１０】
ケース３内には、支持部材としてのフレーム５が設けられている。このフレーム５は、対向して垂直方向（図１において上下方向）に伸長する左右一対の第一及び第二の側板７、９と、この側板７、９の背面側を連結する背面板１１と、第一及び第二の側板７、９並びに背面板１１の底部を連結する底板１２から形成されている。このフレーム５は基盤２にボルト１３によって固定されている。なお、本実施の形態において、第一及び第二の側板７、９と背面板１１は単一の部材としてフレーム５を構成したが、それぞれを別体の部材として製作し、それらを連結してフレーム５を形成してもよい。
【００１１】
第一の側板７には第一のアダプタ２１が、第二の側板９には第二のアダプタ２３が、垂直方向に複数（本実施の形態では４個）並べて取付けられている。さらに、ケース３内の水平方向両端側に一次側及び二次側配管１５、１７a、b、c、dが設けられており、これらは垂直方向に伸長している。このうち、一次側配管１５には配管止水栓１８が設けられており、これよりさらに二次側においてチーズ１９あるいはエルボ２０によりそれぞれのメータユニット２９に分水されている。この配管止水栓１８を閉じることにより、一次側配管１５からの水の流れを止めることができる。
【００１２】
次に、第一及び第二のアダプタ２１、２３について説明する。第一及び第二のアダプタ２１、２３はそれぞれフレーム５の第一の側板７、第二の側板９に固定されている。第一のアダプタ２１は、第一の側板７の外側にある端部において一次側配管１５から分水された各チーズ１９又はエルボ２０にナット２５を使用して接続される。他方、その第一の側板７の内側にある端部は、止水栓３１に取り付けられる。同様に、第二のアダプタ２３についても、第二の側板９の外側にある端部において、各家庭へつながる二次側配管１７a、b、c、dにそれぞれ接続され、第二の側板９の内側にある端部において逆止弁３３に取り付けられる。
【００１３】
メータ取付け用ユニット１に対するメータ２７の取付けは、メータ２７を止水栓３１及び逆止弁３３の間に配置し、止水栓３１に設けられた着脱装置３０を用いて行われる。着脱装置３０は、止水栓３１の二次側に回転可能に取付けられた円筒状の部材であるロックナット３２と、このロックナット３２よりもさらに二次側に設けられた円筒状の部材であるスライドホルダ３４と、このスライドホルダ３４の外周を覆う円筒状の部材であり、その筒内部にスライドホルダ３４を摺動自在に収受するスライドホルダガイド３６とからなる。ロックナット３２の内周部には雌ねじが形成されており、スライドホルダ３４の外周にはこれと螺合する雄ねじが形成されている。ロックナット３２は軸方向移動が規制され、スライドホルダ３４の回転はスライドホルダガイド３６により規制されているので、ロックナット３２を回転させるとスライドホルダ３４が軸方向へ移動することとなる。このスライドホルダ３４の軸方向移動によりスライドホルダ３４がメータ２７に当接し、さらにメータ２７を逆止弁３３側に押圧するため、メータ２７と止水栓３１及び逆止弁３３は圧着される。これにより、それぞれのメータユニット２９を介して、一次側配管１５と二次側配管１７は連通することとなる。本実施形態においては水道用機材として止水栓３１及び逆止弁３３が使用されているが、減圧弁あるいはアングル等他の機材が設置されてもよい。また、着脱装置３０は必ずしも一次側水道用機材（本実施の形態では止水栓３１）に設ける必要は無く、二次側水道用機材（本実施の形態では逆止弁３３）に設けることにより、メータ２７を一次側水道用機材に向けて押圧してもよい。なお、着脱装置を用いたメータユニットとして各種のものが公知であり、前記の特開平０９‐２８０９１９号その他の公報にも各種開示されているので、これ以上の詳細な説明は省略する。
【００１４】
次に、第一及び第二のアダプタ２１、２３の第一及び第二の側板７、９への取付方法について説明するが、まず、図３、４及び５を参照して第二のアダプタ２３の第二の側板９への取付方法について説明する。図３は図２の符号Ａで示す部分の拡大図、図４は図３でのＢ−Ｂ線拡大断面図、図５は図４における矢印Ｃ方向の矢視図である。
【００１５】
第二の側板９には、その手前側端縁から後方へ先端が円弧状の切り欠き３７が設けられている（図５）。さらに、第二の側板９には、切り欠き３７を挟むようにその上下に（図４，５の上下方向）２つの孔３９が形成されている。
【００１６】
図５に示されるように、第二の側板９はこの切り欠き３７において第二のアダプタ２３を収受する。なお、この切り欠き３７はわずかに斜め下方へ傾いて形成されており、これにより、接続に際し、第二の側板９から第二のアダプタ２３が滑り落ちるのを防ぐことができ、容易に接続作業を行える。
【００１７】
第二のアダプタ２３は、筒状の中空部６３とフランジ部４１とから構成される。このフランジ部４１は、軸心に対して垂直方向に伸びる略ひし形となっており、その上下両端部には、第二の側板９に形成された２つの孔３９それぞれに対応する位置に孔４３が設けられている。この両孔にボルト４５を挿通させ、ナット４７で締め付けることにより、第二のアダプタ２３は第二の側板９に固定されている。また、第二のアダプタ２３には、フランジ部４１に沿って円周方向に溝４９が形成されている。この溝４９には、第二のアダプタ２３が第二の側板９に収受される際、切り欠き３７部分がはまり込むようになっており、これにより、第二のアダプタ２３が水平方向（図４において左右方向）にずれるのを防止している。
【００１８】
同様に、第一のアダプタ２１の第一の側板７への取付方法を図６、７を参照して説明する。図６は図２におけるＤ−Ｄ線拡大断面図、図７は図６の矢印Ｅ方向の矢視図である。第一の側板７には、その手前側端縁から後方へ先端が円弧状の切り欠き５０が設けられており、この切り欠き５０部分において、第一のアダプタ２１は第一の側板７に収受される。また、第一の側板７には、切り欠５０を挟むようにその上下に（図６、７の上下方向に）２つの孔５１が形成されている。
【００１９】
第一のアダプタ２１も筒状の部材であり、略ひし形のフランジ部５３が形成され、その両端部には、第一の側板７に形成された孔５１に対応する位置に孔５５が設けられている。この両孔にボルト５７を挿通させ、ナット５９で締め付けることにより、第一のアダプタ２１は第一の側板７に固定されることとなる。また、第一のアダプタ２１には、フランジ部５３に沿って溝６１が形成されており、この溝６１に切り欠き５０部分がはまり込んで、第一のアダプタ２１が第一の側板７に取付けられる。
【００２０】
次に、第一及び第二のアダプタ２１、２３による止水栓３１及び逆止弁３３すなわちメータユニット２９の支持構造について説明するが、ここでも、まず第二のアダプタ２３による逆止弁３３の支持構造について説明する。
【００２１】
図４に示すように、第二のアダプタ２３には逆止弁３３から流れてくる水を二次側配管１７に流すための略円筒状の中空部６３が形成されている。この中空部６３は軸方向に沿って略３つの部分に分けられる。第１は逆止弁３３側の端部から軸方向所定の長さの範囲に形成される大径部６５、第２は大径部６５より二次側に形成される、大径部６５より若干内径の小さい中径部６７、第３は中径部６７よりさらに二次側に形成される、中径部６７より若干内径の小さい小径部６９である。大径部６５の上部には半径方向にネジ孔７１が設けられており、第二のアダプタ２３にはこのネジ孔７１に挿入され、後述する逆止弁３３の水平方向への抜け出しを防止する抜出防止ネジ７３が備えられている。
【００２２】
逆止弁３３には接続用の筒部７５が備えられており、この筒部７５には、第二のアダプタ２３の大径部６５の内径に対応した外径を有する大外径部７７と、第二のアダプタ２３の中径部６７の内径に対応した外径を有し、中径部６７とほぼ同じ長さの小外径部７９とが形成されている。この筒部７５を第二のアダプタ２３の中空部６３に挿入することにより両者は連通される。さらに、逆止弁３３の大外径部７７と小外径部７９との段差により形成される肩部８１、及び筒部７５の端部が、第二のアダプタ２３の大径部６５、中径部６７、小径部６９それぞれの間に形成された第１肩部８３及び第二肩部８５に当接し、位置決めする。そして、逆止弁３３の小外径部７９にはＯリング８７が配置されており、第二のアダプタ２３の中径部６７との間をシールする。
【００２３】
図８及び９は図４におけるＦ−Ｆ線端面図であり、図８ではメータユニット２９が通常位置にあってメータの表示面が水平になっており、図９ではメータユニット２９が所定の角度だけ傾いた回動位置にある。図に示すように、逆止弁３３の筒部７５には、第二のアダプタ２３のネジ孔７１に対応する位置において、円周方向のある長さ範囲においてガイド溝８９が形成されている。そして、ガイド溝８９は抜出防止ネジ７３に対応する所定の幅を備えており、第二のアダプタ２３のネジ孔７１に挿通された抜出防止ネジ７３のネジ部先端が挿入される。
【００２４】
抜出防止ネジ７３がガイド溝８９の軸方向壁面に当接するので、逆止弁３３は第二のアダプタ２３から水平方向（図４において左方向）に抜出すことがない。一方で、ガイド溝８９が円周方向に所定の範囲伸びており、抜出防止ネジ７３がこのガイド溝８９内を円周方向に移動することができるため、第二のアダプタ２３は逆止弁３３を回動可能に支持することとなる。
【００２５】
次に、図６、１０、１１を参照して第一のアダプタ２１による止水栓３１の支持構造について説明する。図１０及び１１は図６におけるＧ−Ｇ線端面図であり、図１０ではメータユニット２９が通常位置にあり、図１１でメータユニット２９が回動位置にある。
【００２６】
第一のアダプタ２１による止水栓３１の支持構造の大部分は、第二のアダプタ２３による逆止弁３３の支持構造と同じ構造を有している。すなわち、第一のアダプタ２１には流体を流すための略円筒状の中空部９１が形成されており、この中空部９１は軸方向に沿って略３つの部分に分けられる。第１は止水栓３１側端部から軸方向所定の長さの範囲に形成される大径部９２、第２は大径部９２より一次側に形成される、大径部９２より若干内径の小さい中径部９３、第３は中径部９３よりさらに一次側に形成される、中径部９３より若干内径の小さい小径部９５である。さらに、大径部９２の上部には半径方向にネジ孔９７が設けられており、このネジ孔９７に抜出防止ネジ９９のネジ部先端が挿入され、後述する止水栓３１の水平方向への抜け出しを防止するようになっている。
【００２７】
止水栓３１には接続用の筒部１０１が設けられており、この筒部１０１はその外径の違いにより２つの部分、すなわち第一のアダプタ２１の大径部９２の内径に対応した外径を有する大外径部１０３と、第一のアダプタ２１の中径部９３の内径に対応した外径を有し、中径部９３とほぼ同じ長さの小外径部１０５とに分けられる。この筒部１０１を第一のアダプタ２１の中空部９１に挿入することにより両者は連通される。さらに、止水栓３１の大外径部１０３と小外径部１０５との段差による肩部１０７、及び筒部１０１の端部が、第一のアダプタ２１の大径部９１、中径部９３、小径部９５それぞれの間に形成された第一肩部１０９及び第二肩部１１１に当接し、位置決めされる。そして、止水栓３１の小外径部１０５にはＯリング１１３が配置されており、第一のアダプタ２１の中径部９３との間をシールする。
【００２８】
図１０、１１に示すように、止水栓３１の筒部１０１には、第一のアダプタ２１のネジ孔９７に対応する位置において、円周方向にガイド溝１１５が形成されている。このガイド溝１１５は、逆止弁３３の筒部７５に形成されたガイド溝８９と異なり、円周方向に一周している。そして、ガイド溝１１５は抜出防止ネジ９９に対応する所定の幅を備えており、第一のアダプタ２１のネジ孔９７に挿通された抜出防止ネジ９９の先端が挿入され、止水栓３１は第一のアダプタ２１から水平方向（図６において右方向）に抜出すことがない。一方で、ガイド溝１１５が円周方向に伸びているので、第一のアダプタ２１は止水栓３１を回動可能に支持することとなる。
【００２９】
以上の構造により、止水栓３１及び逆止弁３３、さらにはこれらを固定するベース３５を含めた水道用メータユニット２９は第一及び第二のアダプタ２１、２３に対して回動することができる。そして、止水栓３１及び逆止弁３３に支持されるメータ２７を回動位置へと傾かせることが可能となる。
【００３０】
次に、メータユニット２９の回動を、メータ２７が水平上向きとなる通常位置と、メータ２７が軸心回りに所定の角度で傾く回動位置とに位置決めする構成について説明する。
【００３１】
まず図８、９を参照して、逆止弁３３と第二のアダプタ２３について説明する。第二のアダプタ２３は、軸方向において抜出防止ネジ７３と同じ位置に、半径方向に伸長するロックピン１１７を備える。このロックピン１１７は半径方向に変位することができるよう構成されており、他方、逆止弁３３の筒部７５にはこのロックピン１１７に対応する形状のロック孔１１９が、ガイド溝８９から円周方向に少し離れた位置において形成されている。ロック孔１１９の径はロックピン１１７の径に対して若干大きくなっている。ロックピン１１７は手動で出し入れしても良いが、バネを用いてアダプタの径方向内方へ常時付勢しておいてもよい。
【００３２】
メータ２７が水平上向きとなる位置、すなわち通常位置（図８）においては、ロックピン１１７がロック孔１１９に挿入されている。これにより、逆止弁３３すなわちメータユニット２９は第二のアダプタ２３に対し回動することができなくなり、通常位置に位置決めすることが可能となる。なお、本実施形態においては、この位置決め手段として、後述する連結リフトバー１３３及び連結ストップピン１３９も備えられている。
【００３３】
一方、ロックピン１１７をロック孔１１９から抜いた場合、逆止弁３３は第二のアダプタ２３に対して回動することができる。そして図８において反時計方向にメータユニット２９を回動すると、抜出防止ネジ７３がガイド溝８９の一方の端面８９aに当接し、一方向（図９において反時計回り方向）への回動が制限される。そして、この位置でロックピン１１７を径方向内方へ移動させると、ガイド溝８９の反対側の端面８９bに当接するようになっている。そのため、逆止弁３３はスットップピン１１７により他方向（図９において時計回り方向）への回動も制限される。この状態において、メータユニット２９が、メータ２７が軸心回りに所定の角度で傾く位置、すなわち回動位置（図９）に位置決めされる。
【００３４】
本実施の形態においては、逆止弁３３と第二のアダプタ２３のみがメータユニット２９の位置決め手段を備えるよう構成したが、止水栓３１と第一のアダプタ２１のみに位置決め手段を設けてもよい。また、止水栓３１と第一のアダプタ２１、及び逆止弁３３と第二のアダプタ２３の両方に位置決め手段を設けてもよい。これにより、より確実な位置決めが可能となる。また、本実施形態においては、上下に配置された複数（本実施の形態においては４つ）のメータユニット２９のうちのいずれか１つに位置決め手段を設けたが、これにより操作手順が簡単になり、さらには部品数を減らし、生産コストを削減することができる。なお、位置決め手段を備えていないメータユニットについては、ロックピン１１７を取付ける孔１１９はこの部分にキャップ（図示せず）を被せて塞ぐようにする。また、メータユニット２９を特に通常位置或いは回動位置で固定する必要の無い場合には、ロックピン１１７は使用しない。
【００３５】
次に、図３、４、１２、１３を参照して全てのメータユニット２９を同時に回動させる機構について説明する。この機構は主に連結金具１２１、連結リフトバー１３３及び連結リフトストップピン１３９により構成される。図１２は、逆止弁３３の筒部７５、連結金具１２１、連結リフトバー１３３及び連結ストップピン１３９のみを示す、図３における矢印Ｈ方向から見た図であり、メータユニット２９が通常位置にある。図１３は同じ方向から見たメータユニット２９が回動位置にある図である。
【００３６】
レバーである連結金具１２１は滴状の形をした金属板であり、径が大きくなっている一端側に円の一部を両側から切り取った異形の形の孔１２３を、径が小さくなっている他端側に孔１２５を設けてある。この連結金具１２１はメータユニット２９に固定されることとなるが、本実施の形態においては後述するようにメータユニット２９の逆止弁３３に固定されている。
【００３７】
逆止弁３３の二次側の筒部７５の大外径部７７の外周にはフランジ部１２９が設けられており、図４においてその右側に所定の長さ範囲において雄ネジ１３０が形成されており、その雄ネジ１３０の部分は径方向両側から部分的にカットして、連結金具１２１の異形孔１２３に対応した異形の形になっている。
【００３８】
図に示すように逆止弁３３の筒部７５を連結金具１２１の孔１２３に挿通し、ナット１３１を取付け、ナット１３１とフランジ部１２９とで連結金具１２１を間に挟むようにしてナット１３１を筒部７５に取付ける。この際、連結金具１２１はフランジ部１２９に当接することにより位置決めされることとなる。孔１２３及び筒部７５の大外径部７７は対応した異形の形をしているので両者はしっかりと嵌り合う。そして、ナット１３１を締め付けることにより、連結金具１２１は逆止弁３３、すなわちメータユニット２９に固定される。
【００３９】
連結部材である連結リフトバー１３３は棒状の部材であり、上下方向に４個の孔１３４a、b、c、dが設けられている。この孔１３４a、b、c、dと、４つのメータユニット２９に装着されたそれぞれの連結金具１２１の孔１２５とに連結金具支持ボルト１３５を挿入し、連結ナット１３６で締め付けることにより、連結リフトバー１３３と連結金具１２１は連結される。孔１３４a、b、c、d及び孔１２５には、チューブ１３７が挿通され（図３）、その中をボルト１３５が伸びている。このチューブ１３７の軸方向の長さは、連結リフトバー１３３と連結金具１２１とを合わせた厚みよりも僅かに長くなっている。これにより連結ナット１３４を締め付けた場合であっても、連結リフトバー１３３と連結金具１２１とが固定されることがなく、両部材は相対回動可能な状態となる。
【００４０】
連結金具１２１はそれぞれのメータユニット２９の逆止弁３３に固定されているため、メータユニット２９が回動することにより、連結金具１２１も回動することによりよりくされた一体となって回動することになる。複数のメータユニット２９のうちいずれか１つのメータユニット２９を図１２で反時計方向に回動させると、連結金具１２１が回動し、連結金具１２１の回動に合わせて連結リフトバー１３３が持ち上げられ、他の連結金具１２１が回動する。したがって、１つのメータユニット２９が回動することにより、他のメータユニット２９も回動することになる。なお、本実施の形態においては、メータユニット２９に対して連結金具１２１を固定し、これと連結リフトバー１３３を連結することとしたが、メータユニット２９自体に直接連結リフトバー１３３を連結してもよい。これにより、メータユニット２９とは別部材である連結金具１２１を用いることなく、複数のメータユニット２９を同時に回動させることができる。
【００４１】
本実施の形態においては、上から二番目のメータユニット２９に固定された連結金具１２１にハンドル１４０を設けている。連結金具１２１は逆止弁３３に固定されているため、このハンドル１４０を操作することによりメータユニット２９を回動させることができる。このハンドル１４０については、本実施形態のように複数のメータユニット２９の連結金具１２１のうちのいずれか１について設ければよい。また、本実施の形態においては連結金具１２１にハンドル１４０を設けることとしたが、メータユニット２９に一体にハンドル部を設けてもよい。
【００４２】
次に、連結リフトストップピン１３９について説明する。連結リフトストップピン１３９は第二の側板９に対して垂直に固定された円柱状の部材であって、連結リフトバー１３３の下方に配置され、図４において左側へ連結リフトバー１３３を僅かに超える位置まで伸長している。そして、連結リフトストップピン１３９は、メータユニット２９が通常位置にあるときに連結リフトバー１３３の下端部が当接するような位置で第二の側板９に取付けられる。連結リフトストップピン１３９は、連結リフトバー１３３の下端部に当接することにより、連結リフトバー１３３の下方への移動範囲を制限し、メータユニット２９を通常位置に位置決めする位置決め手段の役割を果たす。
【００４３】
次に、本実施の形態であるメータユニット２９におけるメータ２７の検針方法について説明する。まずはケース３の扉４を開け、連結金具１２１のハンドル１４０を掴む。その後、ハンドル１４０を把んだ状態でロックピン１１７を引き、ロック孔１１９からロックピン１１７を外す。これによりメータユニット２９の回動が可能となるので、ハンドル１４０を引き下げる。これにより全メータユニット２９が所定の角度傾き、メータ２７の読み取り面が目視できるようになる。この時点で再度ロックプピン１１７を押し、ガイド溝８９へ挿入することにより、メータ２７が傾いた状態でメータユニット２９を固定し、検針することができる。検針終了後は同じ要領でメータユニット２９を通常位置に戻す。すなわちロックピン１１７を引き、その後ハンドル１４０を押し上げる。連結リフトバー１３３が連結リフトストップピン１３９に当接し、係止されるまでハンドル１４０を押し上げ、その後ロックピン１１７をロック孔１１９に差し込む。これにより、メータユニット２９は通常位置に位置決めされる。
【００４４】
連結リフトバー１３３の上方への移動範囲、すなわちメータ２７を回動位置まで傾ける際のメータ２７の回動範囲を制限するために、連結金具１２１にリフトバー当接ピン１２２を設けることも可能である。図１４、１５を参照してより具体的に説明する。図１４は通常位置における逆止弁３３の筒部７５、連結金具１２１、連結リフトバー１３３及び連結リフトストップピン１３９のみを示す、図１２に対応する図である。図１５は回動位置における同部材のみを示す、図１３に対応する図である。図１４において、連結リフトバー１３３の下端が連結リフトストップピン１３９に当接して通常位置に位置決めされている。
【００４５】
回動位置での位置決めを行うために、最上段にある連結金具１２１に孔１２３と孔１２５との間でこれらの軸心と同方向に紙面裏側に向かって伸びるリフトバー当接ピン１２２を設ける。図１４の状態から連結リフトバー１３３を引き下げていくと、連結リフトバー１３３は図１５に示すように左上方へ移動し、徐々に逆止弁３３に近づいていく。連結リフトバー１３３はある高さまで上方に移動するとその側部がこのピン１２２に当接することとなるため、それ以上連結リフトバー１３３は移動できなくなる（図１５参照）。したがって、リフトバー当接ピン１２２を設けることにより、連結リフトバー１３３の上方移動ひいてはメータ２７の回動を止め、位置決めすることが可能となる。
【００４６】
なお、前述したとおり、ロックピン１１７にバネを作用させておけばロックピン１１７は自動的に径方向内方へ移動して位置決め位置へ戻る。また、ハンドル１４０を戻し忘れて扉４を閉めたときに、その扉４がハンドル１４０に当たり、強制的にハンドル１４０を戻すようにしておくことも可能である。その場合、例えば図９に破線で示すようにガイド溝８９の片側の側面８９bを傾斜させておくと、ロックピン１１７が径方向外方へ移動しやすくなる。この場合、ロックピン１１７を付勢するバネを設けておけばロックピン１１７は自動的に孔１１９に嵌るようになる。なお、上記の例では、各メータに対応する位置にケース３に窓を設け、小さな扉を開けてハンドルを操作し、窓を通してメータの検針をするようにしてもよい。また、図１６に示すように、連結リフトバー１３３の下端に支持軸１５５に回動可能に支持されたレバー１５１の一端を取り付け、レバー１５１の他端に支持軸１５２により足踏みペダル１５３を支持し、これを図のように操作してもよい。
【００４７】
図１７は第２の実施形態を示す図である。この実施の形態の構成が第１の実施の形態と異なるのは、メータユニットを回動させる機構の部分であるので、その部分のみ図示して説明する。この実施の形態では、第１の実施の形態で使用した連結リフトバー１３３に代えて、ワイヤ１６１で各ユニットの連結金具１２１を繋ぎ、そのワイヤ１６１の一端を上部へ伸ばし、滑車１６２に巻きまわしてから扉４に取付けている。従って、扉４を開ければメータユニット２９を傾けることができる。なお、この場合、第１の実施の形態で使用したロックピン１１７は使用するが、逆止弁３３の筒部７５に形成したロック孔１１９は設ける必要はない。回動した状態でロックピン１１７を押して溝８９に嵌めればよい。また、ピン１１７を抜けばユニット２９を通常位置へ戻せる。なお、例えばメータユニット２９などの自重でユニット２９に通常位置へ戻る方向のモーメントが作用するようにしておいても良い。
【００４８】
図１８は第３の実施の形態を示す図で、メータユニットを回動させる機構を示す要部側面図である。この実施形態では、第１の実施形態での連結金具１２１、連結リフトバー１３３の組合わせに代えて、各メータユニット２９に一体回転するように取付けられたウォームホイール１７１と、それぞれのウォームホイール１７１に対応したウォーム１７２を備えた支柱１７３を用いている。支柱１７３はフレーム１７５により回転可能に支持され、支柱１７３の上端には取外し可能なハンドル１７４をこの例ではケース３の天井４aの穴を通して取付けられるようになっており、このハンドル１７４を操作することによりメータユニット２９を回動することができる。また、通常位置では一番下のメータユニット２９のベース３５がフレーム１７５に取付けた受け板１７６により受け止められるようになっている。なお、第１の実施の形態で説明した位置決め装置を使用することも可能である。
【００４９】
図１９は第４の実施の形態を示す図で、メータユニットを回動させる機構を示す要部側面図である。この実施の形態では、第３の実施の形態でのウォームホイールとウォームの組合わせに代えて、それぞれのメータユニットに取付けられた平歯車１８１と、これに噛合うラック１８２を使用している。ラック１８２はフレーム１８３によって上下動可能に支持され、通常時においてはそのラック１８２の下端がフレーム１８３に取付けた受け板１８４によって受け止められている。一つのメータユニットには一体回動するようにハンドル１８５が取付けられている。この機構の動作については、上記各実施形態の説明から明らかなのでその説明を省略する。
【００５０】
次に図２０、２１及び２２を参照して、第５の実施の形態に係るメータ取付け用ユニット１９１を説明する。図２０はケース３から扉４を外した状態におけるメータ取付け用ユニット１９１の正面図であり、図２１、２２は第１の実施形態における図４、６に対応する断面図である。本実施形態の基本的な構造は上述の第１から４の実施形態と同様であるが、ベース３５を用いない点、第一及び第二のアダプタ２１、２３による止水栓３１及び逆止弁３３の支持構造が異なる点、及びハンドル１４０の取付け位置が異なる点でこれらの実施の形態と相違する。以下これらの相違点について説明する。
【００５１】
前記の通り本実施形態ではベース３５を用いないため、フレーム５とりわけ側板７、９に、その厚みを増すなどして着脱装置３０による押圧に耐え得るだけの剛性を与えるように設計されている。これによりベース３５を用いたメータ取付けユニット１に比べ、部品点数を減らすことができるとともに、第一及び第二のアダプタ２１、２３が回転する際の負荷を軽減することが可能となり、より軽く回転させることができる。
【００５２】
次に第一及び第二のアダプタ２１、２３による止水栓３１及び逆止弁３３の支持構造について説明するが、まず図２２を参照して第一のアダプタ２１と止水栓３１の支持構造を詳述する。第一のアダプタ２１及び止水栓３３の筒部の基本構造は第１の実施の形態と同様である。すなわち、第一のアダプタ２１は略円筒状の部材であり、その中空部分には軸方向に沿ってその内径が順次小さくなる大径部９２、中径部９３、小径部９５がそれぞれ設けられており、止水栓３１の筒部１０１には大外径部１０３と小外径部１０５が設けられている。本実施の形態においてはさらに大径部９２の内周上に溝１９２が円周方向全周に渡って形成され、また大径部９２の端部内周側にはテーパ部１９３が設けられており、二次側端部に向かって徐々に拡径している。他方、止水栓３１の大外径部１０３の外周上にはさらに、接続時において第一のアダプタ２１の溝１９２に対応する位置に溝１９４が円周方向全周に渡って設けられている。
【００５３】
第一のアダプタ２１に止水栓３１を接続支持するため、金属製の割りリング１９５を使用する。自由状態において割りリング１９５の内径は止水栓３１の大外径部１０３の外径より小さく、外径は大外径部１０３の外径より大きく、縮径した時にその外周側において第一のアダプタ２１の溝１９２内に嵌まることができる寸法となっている。このリング１９５を止水栓３１の溝１９４に配置し、その状態で筒部１０１を第一のアダプタ２１内へ挿入する。リング１９５は縮径されて溝１９４内に完全に嵌り込んだ状態で移動するが、金属リング１９５が第一のアダプタ２１の溝１９２部分に到達した時点で、溝１９２にその外周側が嵌り込むように拡径する。図２２はこの状態を示しており、金属リング１９５が溝１９２と１９４に嵌まり込むことにより、止水栓２１は第一のアダプタ２１に対してアダプタの軸心方向には移動が制限されるが、回転可能に接続支持されることとなる。第二のアダプタ２３と逆止弁３３の支持構造についてもこれと同様であり、図２１はこの状態を表している。この支持構造によれば、止水栓２１の回転軸心方向への変移が制限される一方、その回動は何ら制限を受けないため、メータ２７及び止水栓２１などの水道用機材を回動可能な状態で設置することが可能となる。なお、第一の実施形態で採用した構成ではネジ７３の取付け前に溝８９とネジ孔７１との位置合わせが必要であるのに対し、この構成では両方の溝１９２、１９４の位置合わせは不要であり、取付けが簡単である。
【００５４】
さらに、本実施の形態においてはハンドル１４０の取付けが最下段の逆止弁３３に対してなされている。これによってこれより上段の逆止弁３３にハンドル１４０を取付けた場合に比べハンドル１４０を長くすることができるため、より小さな力でメータ２７を回動させることが可能となる。なお、本実施の形態おいてメータ２７及び水道用機材は上下に計５個設けられており、第１の実施の形態よりも１つ多くなっているが、本願発明の技術的思想はこれらの数に限定されることない（後述する第７、９の実施の形態においても同様。）。
【００５５】
図２３、２４は第６の実施の形態を示しており、図２３は第５の実施の形態同様ケース３から扉４を外した状態におけるメータ取付け用ユニット２０１の正面図であり、図２４はケース３の天井４を切取った状態における同平面図である。本実施の形態は、上記第５の実施形態と同様に、第１の実施の形態において用いたベース３５を使用しておらず、フレーム５の両側板７、９間に着脱装置３０の押圧に耐え得る剛性を備える連結ロッド２０２を配置し、両側板７、９を連結したものであり、より具体的には、複数の止水栓３１及び逆止弁３３それぞれの上下に計６本連結ロッド２０２を配置し、これをボルトにより側板７、９と連結している。これによりフレーム５に大きな剛性を与えることができる。なお、連結ロッド２０２の本数はこれに限定されるわけではなく、また、その配置も必ずしも止水栓３１等の上下に限定されるものではなく、種々の態様が可能である。
【００５６】
図２５は第７の実施の形態を示しており、ケース３から扉４を外した状態におけるメータ取付け用ユニット２１１の正面図である。本実施の形態は第１の実施の形態における止水栓３１及び逆止弁３３とメータ２７との接続方法に変更を加えたものである。すなわち、本実施形態においては、着脱装置３０を使用せず、止水栓３１及び逆止弁３３のメータ２７側端部それぞれに袋ナット２１２を取付け、これとメータ２７の接続端部に設けた雄ねじ部分を螺合させて両部材を接続させるよう構成されている。この接続方法は公知であるから詳細な説明は省略する。なお、本実施形態による水道メータ取付けユニットは第１の実施の形態と異なり、ベース３５を用いていないため、これを用いた場合に比べ、部品点数を減少させることができるとともに、重量が軽くなるので容易にメータ２７を回転させることができる。また、止水栓３１の袋ナット２１２が取付けられている筒部３１aは本体３１bに対して摺動して伸縮可能になっており、これによりメータ２７と止水栓３１、逆止弁３３との接続部は液密性が確実となるようしっかりと接続できる。この伸縮作用により、フレーム５に対し止水栓３１及び逆止弁３３とメータ２７との接続による大きな負荷が掛かることがないため、フレーム５とりわけ側板７、９の変形を防止することができ、第５の実施の形態のようにフレーム５に大きな剛性を与える必要もない。
【００５７】
図２６は第８の実施の形態を示しており、ケース３から扉４を外した状態におけるメータ取付け用ユニット２２１の正面図である。本実施の形態は、第７の実施の形態におけるメータ取付け用ユニット２１１にベース３５を加えたものである。前記の通り袋ナット２１２での接続によりフレーム５に対し大きな負荷が掛かることがないためベース３５は第１の実施の形態のように大きな剛性を有する必要はないが、ベース３５を用いて止水栓３１と逆止弁３３とをユニット化できるので、側板７、９あるいはアダプタ２１、２３への取付けが容易となる。
【００５８】
図２７、２８は第９の実施の形態を示しており、図２７はケース２３２から正面側壁２４０部分を切り取った状態における水道メータ取付け用ユニット２３１の正面図であり、図２８（イ）は通常位置にあるメータ取付け用ユニット２３１の図２７におけるＩ‐Ｉ線断面図、（ロ）は回動位置にある同断面図である。本実施の形態における水道メータ取付け用ユニット２３１では、直方体状のケース２３２内に、第１の実施の形態で用いたものと同じメータユニット２９が１つだけ配置されており、一戸建てなどに用いて好適な実施の形態となっている。より詳細に説明すると、ケース２３２内には断面コの字状のフレーム２４５が設けられており、このフレーム２４５はその背面板２４６がケース２３２の背面側壁２３７の内面側に固定されてケース２３２に取付けられている。フレーム２４５の背面板２４６の左右両端縁から左右一対の第一及び第二の側板２４７、２４８がそれぞれ垂直に伸びており、この側板２４７、２４８に第１の実施形態と同様の第一のアダプタ２１、第二のアダプタ２３がそれぞれ取付けられている。この第一及び第二のアダプタ２１、２３にメータユニット２９のベース３５両端側に固定される止水栓３１、逆止弁３３がそれぞれ取付けられることにより、水道メータ取付け用ユニット２３１が構成され、着脱装置３０を用いてメータ２７が取付けられることとなる。
【００５９】
ケース２３２の正面側壁は、ケース２３２上面壁２３８の正面側端部から垂直方向下方に一体的に伸びる正面側壁上部２４１と、底面壁２３９の正面側端部から垂直方向上方に一体的に伸びる正面側壁下部２４２と、上記正面側壁上部２４１と正面側壁下部２４２との間に配置される扉２３３とから構成される。  扉２３３は断面形状がＬ字型をしており、その屈折部分を境に２つの部分、すなわちケースの正面側壁２４０の一部として機能する正面側壁中部２３４と、ケース２３２内側に伸びてメータユニット２９のベース３５に固定される固定部２３５とからなる。固定部２３５はベース３５の底面部分にボルトにより一体的に固定されているため、扉２３３とメータユニット２９はメータ２７の回転軸心回りに一体的に回動するようになっている。さらに、メータユニット２９の逆止弁３３には第一の実施の形態同様の連結金具１２１がその一端において固定して取付けられ、この連結金具１２１の他端を扉２３３に固定させることにより、扉２３３とメータユニット２９とがさらに強固に固定されている。したがって、扉２３３をメータ２７の回転軸心回りに回動させて開閉することにより、同時にメータ２７を回動させることができる。その際、メータ２７が水平に位置する通常位置となる時に扉２３３が閉まりきった状態となり、メータ２７がその回転軸心回りに所定の角度だけ傾いた回動位置となる時に扉２３３が開ききった状態となるよう構成されている。扉２３３を開く際の回動は正面側壁下部２４２の端部に扉２３３の外側を当接させることにより規制され、他方、閉める際の回動は正面側壁上部２４１に扉２３３の内側を当接させることにより規制される。さらに、本実施の形態においては正面側壁下部の当接箇所にクッション部材２４３を設けることにより、扉２３３の当接時に生じる衝撃を和らげるとともに、扉２３３と正面側壁下部２４２との間に使用者の指が挟まれることを防止している。また、扉２３３の上端部と正面側壁上部２４１に適宜な掛金２３６を設け、扉２３３を閉めた状態で固定できるようになっている。以上のような構成により、本実施の形態ではハンドル１４０などの回動部材を水道メータ取付け用ユニットに取付ける必要がなくなり、部品点数を減らすことができる。また、扉２３３の開閉と同時にメータ２７を回動することができるため、メータ２７検針時の作業数を減らすことができ、検針作業が容易になる。なお、本実施の形態では扉２３３あるいは連結金具１２１を用いて扉２３３とメータユニット２９とが一体的に回動するようにしたが、扉２３３とメータユニット２９とを連動させる構成はこれに限定されない。例えば、扉２３３を前述の正面側壁中部２３４のみで構成して、その下側縁部に沿う軸線回りに回動可能に構成し、一方前述の連結金具１２１を逆止弁３３に対して前と同様に取付け、扉２３３と連結金具１２１とをもう１つのリンクで連結し、いわゆる四節リンクとして構成しても良い。
【００６０】
図２９は第１０の実施の形態を示しており、ケース２３２の正面側壁２４０部分を切り取った状態におけるメータ取付け用ユニット２４１の正面図である。本実施の形態は、第９の実施の形態からベース３５を取除いたメータ取付け用ユニットである。本実施の形態においてはフレーム５に所定の剛性を与えるよう構成されているが、その詳細は止水栓３１及び逆止弁３３の数が異なる点を除き第５の実施の形態と同様であるので、ここでは説明を省略する。なお、本実施形態においては第９の実施の形態における連結金具１２１と同じ構成を用いて扉２３３とメータユニット２９とを一体的に回動させている。
【００６１】
図３０は第１１の実施の形態を示しており、（イ）がケース２３２の正面側壁２４０部分を切り取った状態におけるメータ取付け用ユニット２５１の正面図、（ロ）がケース２３３の上面壁２３８を切り取った状態における同平面図である。本実施の形態は第１０の実施形態に連結ロッド２０２を追加したものであるが、その詳細は止水栓３１及び逆止弁３３の数が異なる点を除き第６の実施の形態と同様であるので、ここでは説明を省略する。
【００６２】
図３１は第１２の実施の形態を示しており、ケース２３３の正面側壁２４０部分を切り取った状態におけるメータ取付け用ユニット２６１の正面図である。本実施の形態は、第１０の実施の形態における止水栓３１及び逆止弁３３とメータ２７との接続方法に変更を加えたものであるが、その詳細は止水栓３１及び逆止弁３３の数が異なる点を除き第７の実施の形態と同様であるので、ここでは説明を省略する。
【００６３】
図３２は第１３の実施の形態を示しており、ケース２３２の正面側壁２４０部分を切り取った状態におけるメータ取付け用ユニット２７１の正面図である。本実施の形態は、第１２の実施の形態にベース３５を追加したものであるが、その詳細は止水栓３１及び逆止弁３３の数が異なる点を除き第８の実施の形態と同様であるので、ここでは説明を省略する。
【図面の簡単な説明】
【００６４】
【図１】本発明の一実施形態である水道用メータ取付け用ユニットの、ケースの一部分を切り欠いて示す正面図。
【図２】ケースの一部分を切り欠いて示す平面図。
【図３】図２の符号Ａで示す部分の拡大図。
【図４】逆止弁と第二のアダプタの図３でのＢ−Ｂ線拡大断面図。
【図５】図４における矢印Ｃ方向の矢視図。
【図６】図２におけるＤ−Ｄ線拡大断面図。
【図７】図６の矢印Ｅ方向の矢視図。
【図８】通常位置における図４でのＦ−Ｆ線端面図。
【図９】回動位置における図４でのＦ−Ｆ線端面図。
【図１０】通常位置における図６でのＧ−Ｇ線端面図。
【図１１】回動位置における図６でのＧ−Ｇ線端面図。
【図１２】逆止弁の筒部、連結金具、連結リフトバー及び連結ストップピンのみを示す、通常位置における図３での矢視Ｈ図。
【図１３】逆止弁の筒部、連結金具、連結リフトバー及び連結ストップピンのみを示す、回動位置における図３での矢視Ｈ図。
【図１４】通常位置における逆止弁３３の筒部７５、連結金具１２１、連結リフトバー１３３及び連結ストップピン１３９のみを示す、図１２に対応する図。
【図１５】回動位置における逆止弁３３の筒部７５、連結金具１２１、連結リフトバー１３３及び連結ストップピン１３９のみを示す、図１３に対応する図。
【図１６】ハンドルに代えて足踏み式のレバーを用いた例を示す図。
【図１７】第２の実施の形態に係る、メータユニットを回動させる機構を示す図。
【図１８】第３の実施の形態に係る、メータユニットを回動させる機構を示す図。
【図１９】第４の実施の形態に係る、メータユニットを回動させる機構を示す図。
【図２０】第５の実施の形態に係るメータ取付け用ユニットのケースから扉を外した状態における正面図。
【図２１】第５の実施の形態に係るメータ取付け用ユニットの、図４に対応する断面図。
【図２２】第５の実施の形態に係るメータ取付け用ユニットの、図６に対応する断面図。
【図２３】第６の実施の形態に係るメータ取付け用ユニットのケースから扉を外した状態における正面図。
【図２４】第６の実施の形態に係るケースから扉を外した状態におけるメータ取付け用ユニットのケースの上面壁（天井）を切取った状態における平面図。
【図２５】第７の実施の形態に係るメータ取付け用ユニットのケースから扉を外した状態における正面図。
【図２６】第８の実施の形態に係るメータ取付け用ユニットのケースから扉を外した状態における正面図。
【図２７】第９の実施の形態に係るメータ取付け用ユニットのケースから正面側壁部分を切り取った状態における正面図。
【図２８】（イ）は通常位置にある第９の実施の形態に係るメータ取付け用ユニットの図２５におけるＩ‐Ｉ線断面図、（ロ）は回動位置にある同断面図。
【図２９】第１０の実施の形態に係るメータ取付け用ユニットのケースから正面側壁部分を切り取った状態における正面図。
【図３０】（イ）は第１１の実施の形態に係るメータ取付け用ユニットのケースの正面側壁部分を切り取った状態における正面図、（ロ）はケースの上面壁（天井）を切り取った状態における同平面図。
【図３１】第１２の実施の形態に係るメータ取付け用ユニットのケースから正面側壁部分を切り取った状態における正面図。
【図３２】第１３の実施の形態に係るメータ取付け用ユニットのケースから正面側壁部分を切り取った状態における正面図。
【符号の説明】
【００６５】
１：メータ取付け用ユニット    ５：フレーム    ７：第一の側板    ９：第二の側板  １５：一次側配管  １７：二次側配管  ２１：第一のアダプタ  ２３：第二のアダプタ  ２７：メータ  ３１：止水栓  ３３：逆止弁  ７３：抜け出し防止ネジ  ７５：筒部  １１５：ガイド溝  １１７：ロックピン  １１９：ロック孔  １２１：連結金具  １３３：連結リフトバー  １３９：連結リフトストップピン  １４０：ハンドル
【図１】
2008175802.tif 000003
【図２】
2008175802.tif 000004
【図３】
2008175802.tif 000005
【図４】
2008175802.tif 000006
【図５】
2008175802.tif 000007
【図６】
2008175802.tif 000008
【図７】
2008175802.tif 000009
【図８】
2008175802.tif 000010
【図９】
2008175802.tif 000011
【図１０】
2008175802.tif 000012
【図１１】
2008175802.tif 000013
【図１２】
2008175802.tif 000014
【図１３】
2008175802.tif 000015
【図１４】
2008175802.tif 000016
【図１５】
2008175802.tif 000017
【図１６】
2008175802.tif 000018
【図１７】
2008175802.tif 000019
【図１８】
2008175802.tif 000020
【図１９】
2008175802.tif 000021
【図２０】
2008175802.tif 000022
【図２１】
2008175802.tif 000023
【図２２】
2008175802.tif 000024
【図２３】
2008175802.tif 000025
【図２４】
2008175802.tif 000026
【図２５】
2008175802.tif 000027
【図２６】
2008175802.tif 000028
【図２７】
2008175802.tif 000029
【図２８】
2008175802.tif 000030
【図２９】
2008175802.tif 000031
【図３０】
2008175802.tif 000032
【図３１】
2008175802.tif 000033
【図３２】
2008175802.tif 000034